(57)【要約】【課題】様々な場所への設置に対応することのできる照明装置を得る。【解決手段】照明装置２０は、光源部４１と、光源部４１が取り付けられる取付壁部４２と、を備えている。また、取付壁部４２は、光源部４１が取り付けられる基壁部４３と、基壁部４３から延設される一対の側壁部４４，４４と、を備えている。この一対の側壁部４４，４４は、各側壁部４４の延設方向に伸縮自在に構成されている。そして、一方の側壁部４４の延設方向長さと他方の側壁部４４の延設方向長さとを独立して調整できるようにした。【選択図】図７
2019029280.tif 000002
【特許請求の範囲】
【請求項１】
光源部と、
前記光源部が取り付けられる取付壁部と、
を備え、
前記取付壁部は、
前記光源部が取り付けられる基壁部と、
前記基壁部から延設される一対の側壁部と、
を備えており、
前記一対の側壁部は、各側壁部の延設方向に伸縮自在に構成されており、
一方の側壁部の延設方向長さと他方の側壁部の延設方向長さとを独立して調整できるようにしたことを特徴とする照明装置。
【請求項２】
前記一対の側壁部は、複数の片部をそれぞれ備えており、
各側壁部の複数の片部は、互いに隣り合う片部同士が、重なり合う部分の延設方向長さを変えて固定できるように構成されていることを特徴とする請求項１に記載の照明装置。
【請求項３】
前記一対の側壁部が、前記光源部から出射した光を反射させる反射板であることを特徴とする請求項１または請求項２に記載の照明装置。
【請求項４】
開口部が形成された空間部を有するケースをさらに備え、
前記空間部内に前記取付壁部が収容固定されていることを特徴とする請求項１〜３のうちいずれか１項に記載の照明装置。
【請求項５】
前記ケースおよび前記取付壁部には、被固定部に固定される固定部を有する固定部材が取り付けられており、
前記固定部材には、前記固定部の前記取付壁部に対する位置を調整する位置調整機構と、前記ケースの前記固定部材に対する回動量を調整する回動量調整機構とが形成されていることを特徴とする請求項４に記載の照明装置。
【請求項６】
前記固定部材は、前記固定部が形成された第１アーム部と、前記第１アーム部に取り付けられ、前記取付壁部および前記ケースに取り付けられる第２アーム部と、を備えており、
前記第１アーム部と前記第２アーム部との取付部分に前記位置調整機構が形成されており、
前記ケースと前記第２アーム部との取付部分に前記回動量調整機構が形成されていることを特徴とする請求項５に記載の照明装置。
【請求項７】
前記位置調整機構は、前記第１アーム部および前記第２アーム部のうちいずれか一方のアーム部に形成された長孔と他方のアーム部に形成された丸孔とを備えることを特徴とする請求項６に記載の照明装置。
【請求項８】
前記ケースが壁部に形成された埋め込み空間内に収容され、
前記埋め込み空間内に配置された前記被固定部に前記固定部材の前記固定部が固定されることを特徴とする請求項５〜７のうちいずれか１項に記載の照明装置。
【発明の詳細な説明】
【技術分野】
【０００１】
本発明は、照明装置に関する。
【背景技術】
【０００２】
従来、照明装置として、光源部としてのランプと、ランプから出射された光を反射させる反射板と、を備えるものが知られている（例えば、特許文献１参照）。
【０００３】
この特許文献１では、反射板が、軸線を鉛直にした第１の回転体反射板と、第１の回転体反射板の下端開口に連続する第２の回転体反射板と、を備えている。そして、軸線が傾斜天井の天井面に垂直となるように第２の回転体反射板を形成することで、照明装置を傾斜天井に埋め込み固定した際に、床面を略均一に照射できるようにしている。
【先行技術文献】
【特許文献】
【０００４】
【特許文献１】実開昭６０−１４２４１５号公報
【発明の概要】
【発明が解決しようとする課題】
【０００５】
しかしながら、上記従来の技術では、埋め込み固定する天井の傾斜に合わせて第２の回転体反射板を形成しているため、所定角度で傾斜した天井に設置するための照明装置を作成すると、その照明装置を傾斜角度が異なる別の天井に設置することができなかった。このように、上記従来の技術では、設置場所の態様に応じた反射板を個々に作成する必要があり、１つの照明装置を様々な場所に設置することができなかった。
【０００６】
そこで、本開示は、様々な場所への設置に対応することのできる照明装置を得ることを目的とする。
【課題を解決するための手段】
【０００７】
本開示にかかる照明装置は、光源部と、前記光源部が取り付けられる取付壁部と、を備えている。また、前記取付壁部は、前記光源部が取り付けられる基壁部と、前記基壁部から延設される一対の側壁部と、を備えている。ここで、前記一対の側壁部は、各側壁部の延設方向に伸縮自在に構成されている。そして、一方の側壁部の延設方向長さと他方の側壁部の延設方向長さとを独立して調整できるようにしている。
【発明の効果】
【０００８】
本開示によれば、様々な場所への設置に対応することのできる照明装置を得ることができる。
【図面の簡単な説明】
【０００９】
【図１】天井に埋め込み固定されている照明装置を天井裏から視た斜視図である。
【図２】天井に埋め込み固定されている照明装置を取付壁部の幅方向に沿って視た断面図である。
【図３】天井に埋め込み固定されている照明装置を取付壁部の長さ方向に沿って視た断面図である。
【図４】取付壁部の側壁部の分解斜視図である。
【図５】取付壁部の側壁部の分解正面図である。
【図６】取付壁部の側壁部の正面図である。
【図７】一対の側壁部の延設方向長さを異ならせた状態を示す側面図である。
【図８】取付壁部と固定部材とを示す斜視図であって、固定部材を分解して示す斜視図である。
【図９】取付壁部に固定部材を取り付けた状態を示す斜視図である。
【図１０】固定部材の位置調整機構および回動量調整機構を説明する図である。
【図１１】傾斜した天井に埋め込み固定されている照明装置を取付壁部の幅方向に沿って視た断面図である。
【発明を実施するための形態】
【００１０】
以下、本実施にかかる照明装置について、図面を参照しながら説明する。なお、以下では、壁部としての天井に形成された埋め込み穴に埋め込まれた状態で取り付けられる照明装置（天井埋め込み型の照明装置）を例示する。また、以下では、図２の左右方向を前後方向（取付壁部の長さ方向）と規定し、図３の左右方向を幅方向（取付壁部の幅方向）と規定して説明する。
【００１１】
本実施形態にかかる照明装置２０は、図１〜図３に示すように、例えば鉄などの金属で形成されたケース３０を備えており、このケース３０内に照明部材４０が収容保持されている。
【００１２】
ケース３０は、ケース本体３１を備えており、このケース本体３１は、奥壁３２と奥壁３２の周囲から立説された側壁３３とで一端が開口した箱状に形成されている。
【００１３】
ケース本体３１には、一端（一側：下側）に開口部３１ａを有する空間部３１ｂが形成されており、この空間部３１ｂ内に、照明部材４０が収容保持されている。なお、本実施形態では、直方体状に形成されたケース本体３１を例示しているが、ケース本体の形状はこれに限られるものではなく、様々な形状とすることができる。
【００１４】
また、ケース本体３１の開口部３１ａ側、すなわち、側壁３３の開口部３１ａ側の先端部には、フランジ部３３ａが幅方向の外方に延在するように形成されている（図３参照）。さらに、側壁３３のフランジ部３３ａの上方には挿通孔３３ｂが形成されている。なお、側壁３３の開口部３１ａ側の先端部の全周にわたってフランジ部３３ａを設けるようにしてもよい。
【００１５】
一方、天井（壁部）１０には、室内側に開口部１４ａが形成された埋め込み空間１４が形成されており、この埋め込み空間１４にケース本体３１が収容されている。
【００１６】
具体的には、天井１０は、図２および図３に示すように、基部１１と、基部１１から離間するように配置された天井壁１２と、を備えており、基部１１と天井壁１２との間には、配線等を配置することが可能な天井空間１３が形成されている。
【００１７】
そして、天井壁１２にケース本体３１の幅寸法および長さ寸法に対応した開口部１２ａを形成することで、開口部１４ａを有し、ケース３０のケース本体３１を収容可能な埋め込み空間１４を形成している。このような埋め込み空間１４にケース本体３１を収容させると、フランジ部３３ａが天井壁１２の表面（下面：壁面）１２ｂに当接することとなる。なお、天井空間が形成されていない天井壁に埋め込み空間を形成することも可能である。
【００１８】
また、基部１１には、図示せぬ雄ネジ部を有するボルト１５が下方に向けて突出するように固定されている。本実施形態では、このボルト１５が、埋め込み空間１４内に配置された被固定部に相当している。
【００１９】
そして、この被固定部としてのボルト１５に、照明装置２０の固定部材を固定することで、照明装置２０が埋め込み空間１４内に埋め込まれた状態で固定されるようにしている。具体的には、照明装置２０は、ケース３０および照明部材４０に取り付けられる固定部材としてのアーム部６０を備えており、アーム部６０は、一部がケース３０の上方（基部１１側）に突出した状態で、ケース３０および照明部材４０に取り付けられている。そして、アーム部６０のケース３０よりも上方に突出する部位には、ボルト（被固定部）１５に固定される挿通孔（固定部）６３ａが形成されている。
【００２０】
このアーム部６０のボルト（被固定部）１５への固定は、例えば、下記の方法により行うことができる。まず、ケース本体３１を埋め込み空間１４に収容してフランジ部３３ａを天井壁１２の表面（下面：壁面）１２ｂに当接させた状態で、アーム部６０の挿通孔６３ａにボルト１５の先端１５ａを通過させる。次に、アーム部６０の挿通孔６３ａに挿通させたボルト１５の先端１５ａにナット１６を締結する。こうすることで、照明装置２０（ケース３０および照明部材４０）が、天井１０に形成された埋め込み空間１４内に収容固定される。
【００２１】
また、上述したように、ケース本体３１の空間部３１ｂ内には照明部材４０が収容保持されている。この照明部材４０としては、様々な種類のものを用いることができ、本実施形態では、光源部４１と、光源部４１が取り付けられる取付壁部４２と、を備える照明部材４０を例示している。
【００２２】
また、本実施形態では、複数のＬＥＤ（半導体発光素子：発光手段）をユニット化させた略矩形板状のＬＥＤユニットを光源部４１としたものを例示している。なお、光源部４１も、略矩形板状のＬＥＤユニットに限られるものではなく、例えば、直管形のランプや電球形のランプ等、従来公知のものを用いることができる。また、光を出射させる（発光させる）ための発光手段も、従来公知のものを用いることができる。
【００２３】
取付壁部４２は、光源部４１が取り付けられる略矩形板状の基壁部４３と、基壁部４３の前後方向両端から下方に延在するように延設される一対の側壁部４４，４４と、を備えている。
【００２４】
また、略矩形板状の基壁部４３は、中央部を上方に突出させることで形成された収容凹部４３ａを備えており、この収容凹部４３ａ内に光源部４１が収容されている。このとき、光源部４１は、主光軸方向が下方を向くようにした状態で収容凹部４３ａ内に収容されている。
【００２５】
また、一対の側壁部４４，４４もそれぞれ略矩形板状をしており、各側壁４４，４４は、下方かつ外方に傾斜した状態で基壁部４３に連設されている。すなわち、前後方向の前方に形成された側壁部４４は、下方かつ前方に傾斜した状態で基壁部４３の前端に連設されており、前後方向の後方に形成された側壁部４４は、下方かつ後方に傾斜した状態で基壁部４３の後端に連設されている。
【００２６】
さらに、本実施形態では、一対の側壁部４４，４４を含む取付壁部４２を、光源部４１から出射した光を反射させる反射板として機能させている。具体的には、基壁部４３の下面および一対の側壁部４４，４４の内面（互いに対向する面）を反射面とし、光源部４１から出射した光を反射面で反射させて、より多くの光が下方に照射されるようにしている。なお、一対の側壁部４４，４４のみを反射板として機能させるようにしてもよい。
【００２７】
さらに、本実施形態では、ケース本体３１に形成された開口部３１ａが、光を透過可能なパネル部材５０によって閉塞されるようにしている。そして、天井１０に形成された埋め込み空間１４内にケース本体３１を収容固定し、照明部材４０をケース本体３１の空間部３１ｂ内に収容保持した状態で、パネル部材５０をケース３０に装着させることで、照明装置２０を形成している。
【００２８】
このように、本実施形態にかかる照明装置２０は、天井（壁部）１０に埋め込み固定された状態で、光源部４１から出射された光（直接光または間接光）を、パネル部材５０を透過させ、下部に位置する床面等の照射対象物を照射するものである。
【００２９】
ところで、照明装置２０を埋め込み固定する天井（壁部）１０は、必ずしも水平方向（床面と略平行）に延在させる必要はなく、少なくとも天井壁１２が床面に対して傾斜している場合もある。そして、床面に対して傾斜している天井壁１２に照明装置２０を固定する場合もある。このとき、予め定められた方向（例えば、パネル部材５０の法線方向）を照射するように設計された照明装置２０を、床面に対して傾斜する天井壁１２に固定すると、照明装置２０の照射領域が照射対象物から外れてしまう場合がある。そのため、従来は、埋め込み固定する天井壁１２（天井１０）の傾斜角度や照射対象物の位置（照射対象範囲）等を、設計図や実地調査等により調べ、設置場所の状況に適した形状の照明装置２０を作成する必要があった。
【００３０】
しかしながら、埋め込み固定する天井（壁部）１０の傾斜角度や、設置場所と照射対象物との位置関係に応じて、その都度照明装置２０を設計する方法では、事前に実地調査等を行う必要があるため、照明装置２０の作成や設置に手間がかかってしまう。また、ある場所（所定角度で傾斜した天井１０等）に設置するために作成した照明装置２０を、他の場所（傾斜角度が異なる別の天井１０等）に設置することもできないため、各照明装置２０はそれぞれの設置場所が制限されていた。
【００３１】
このように、現状では、設置場所の態様に応じた照明装置２０を個々に作成する必要があり、１つの照明装置２０を様々な場所に設置させることが難しかった。
【００３２】
そこで、本実施形態では、１つの照明装置２０を、様々な場所への設置に対応させることができるようにしている。
【００３３】
具体的には、取付部材４２の一対の側壁部４４，４４を、各側壁部４４，４４の延設方向に伸縮させることができる構成としている。
【００３４】
このように、一対の側壁部４４，４４を伸縮させる構成とすれば、各側壁部４４，４４の延設方向長さを所望の長さとすることができる。そのため、例えば、基壁部４３を照明装置２０の照射面（パネル部材５０）に対して傾かせた状態で、各側壁部４４，４４の延設方向長さを調整することで、側壁部４４がケース本体３１や埋め込み空間１４からはみ出してしまうのを抑制することができる。すなわち、基壁部４３を照明装置２０の照射面（パネル部材５０）に対して傾かせた状態で、パネル部材５０と側壁部４４とが干渉してしまうのを抑制できるようになる。このように、各側壁部４４，４４の延設方向長さを調整できるようにすれば、取付部材４２をケース本体３１内に収容した状態で、基壁部４３をケース本体３１に対して相対的に回動させることができるようになる。すなわち、各側壁部４４，４４の延設方向長さを調整できるようにすることで、取付部材４２をケース本体３１内に収容した状態で、基壁部４３を照明装置２０の照射面（パネル部材５０）に対して所望の角度で傾かせることができるようになる。
【００３５】
なお、基壁部４３を照明装置２０の照射面（パネル部材５０）に対して傾かせた照明装置２０を、傾斜した天井壁１２を有する天井１０に埋め込み固定した状態では、開口部１４ａを覆うパネル部材５０が天井壁１２に対して略平行に配置されることとなる。そして、基壁部４３が、傾斜した天井壁１２に対して傾いた状態（例えば、水平方向に延在した状態）で配置されることとなる。このとき、照明装置２０の照射方向は、パネル部材５０の法線方向（埋め込み空間１４の開口面の法線方向）に対して傾斜することとなる。
【００３６】
したがって、例えば、傾斜した天井壁１２を有する天井１０に照明装置２０を埋め込み固定した状態で、基壁部４３が水平方向となるように側壁部４４の長さを調整すれば、傾斜した天井壁１２に固定された状態で下方を照射する照明装置２０を得ることができる。
【００３７】
このように、本実施形態にかかる照明装置２０は、照射方向が所望の方向となるように調整することができるようになっている。
【００３８】
ただし、一対の側壁部４４，４４の伸縮を連動して行うようにすると、取付部材４２をケース本体３１内に収容しつつ、基壁部４３をパネル部材５０に対して傾かせた際に、少なくとも一方の側壁部４４とパネル部材５０との間に隙間ができてしまう。このように、側壁部４４とパネル部材５０との間に隙間ができてしまうと、側壁部４４による反射効率が減少してしまい、側壁部４４の反射板としての機能が大きく損なわれてしまう場合がある。
【００３９】
そのため、本実施形態では、図７に示すように、一方の側壁部４４の延設方向長さと他方の側壁部４４の延設方向長さとを独立して調整できるようにしている。
【００４０】
このように、一方の側壁部４４の延設方向長さと他方の側壁部４４の延設方向長さとを独立して調整できるようにすれば、基壁部４３を、パネル部材５０に対して傾かせつつ、側壁部４４，４４の両方の先端をパネル部材５０に当接させることができる。その結果、側壁部４４の反射板としての機能が損なわれてしまうのを極力抑制しつつ、照射方向を所望の方向とすることができるようになる。
【００４１】
また、本実施形態では、各側壁部４４，４４は、図４〜図６に示すように、複数の片部をそれぞれ固定することで形成されている。具体的には、側壁部４４は、第１片部４５、第２片部４６、第３片部４７、第４片部４８の４つの片部を備えている。そして、第１片部４５が基壁部４３の前後方向の端部に一体に連設されている。この基壁部４３と一対の第１片部４５，４５は、例えば、一枚の板状部材の両端を折曲させることで形成することができる。そして、この第１片部４５と第２片部４６、第２片部４６と第３片部４７、第３片部４７と第４片部４８をそれぞれ固定することで１つの略矩形板状の側壁部４４を形成している。なお、各片部は、厚さ方向の一方側（内側）から第１片部４５、第２片部４６、第３片部４７、第４片部４８の順に配置されている。すなわち、本実施形態では、厚さ方向で互いに隣り合う片部同士を固定することで、側壁部４４を形成している。
【００４２】
また、本実施形態では、第２片部４６、第３片部４７および第４片部４８が、高さ（側壁部４４の延設方向の長さ）と幅が略同一となっている。そして、第１片部４５は、幅が他の片部と略同一となっており、高さ（側壁部４４の延設方向の長さ）が、他の片部よりも低くなっている。なお、各片部の大きさ（幅や高さ）は、適宜設定することができ、様々な大きさの片部を複数用いて側壁部４４を形成することができる。また、本実施形態では、略矩形板状の平板を片部としたものを例示しているが、これに限られるものではなく、様々な形状の片部とすることができる。例えば、球面状に湾曲した板部材を片部としたり、上下方向を中心とした円筒の一部を片部としたりすることも可能である。
【００４３】
そして、各片部（第１片部４５〜第４片部４８）は、厚さ方向で互いに隣り合う片部を固定する際に、重なり合う部分の高さ（延設方向長さ）を変えて固定できるようになっている。このように、厚さ方向で互いに隣り合う片部を、重なり合う部分の高さ（延設方向長さ）を変えて固定できるようにすることで、側壁部４４の延設方向長さを調整できるようにしている。
【００４４】
本実施形態では、まず、第１片部４５の幅方向両端に高さ方向に細長い長孔４５ａを形成し、第２片部４６の長孔４５ａと対応する部位に丸孔４６ａを形成している。具体的には、第１片部４５と第２片部４６とを、幅方向の両端および高さ方向の上端を揃えた状態で重ね合わせた際に、長孔４５ａの上端と連通するように、丸孔４６ａを形成している。そして、丸孔４６ａを長孔４５ａと連通させた状態で、丸孔４６ａおよび長孔４５ａにボルト７１の軸部を挿入し、ナット７２で共締めすることで、第１片部４５と第２片部４６とを固定している。したがって、第１片部４５と第２片部４６の重なり合う部分の高さは、丸孔４６ａを長孔４５ａの上端に連通させた状態から、下端に連通させた状態までの間で調整することができる。
【００４５】
また、第２片部４６における丸孔４６ａの幅方向内側（丸孔４６ａとは幅方向にずれた位置）に、高さ方向に細長い長孔４６ｂを形成している。本実施形態では、第１片部４５と第２片部４６とを、幅方向の両端および高さ方向の上端を揃えた状態で重ね合わせた際に、長孔４６ｂの上端が長孔４５ａの上端と略同一高さとなるようにしている。そして、第３片部４７の長孔４６ｂと対応する部位に丸孔４７ａを形成している。具体的には、第２片部４６と第３片部４７とを、幅方向の両端および高さ方向の両端を揃えた状態で重ね合わせた際に、長孔４６ｂの上端と連通するように、丸孔４７ａを形成している。そして、丸孔４７ａを長孔４６ｂと連通させた状態で、丸孔４７ａおよび長孔４６ｂにボルト７１の軸部を挿入し、ナット７２で共締めすることで、第２片部４６と第３片部４７とを固定している。したがって、第２片部４６と第３片部４７の重なり合う部分の高さは、丸孔４７ａを長孔４６ｂの上端に連通させた状態から、下端に連通させた状態までの間で調整することができる。
【００４６】
さらに、第１片部４５の部位であって、第１片部４５と第２片部４６とを幅方向の両端および高さ方向の上端を揃えて重ね合わせた状態で長孔４６ｂと重なり合う部位には、高さ方向に延在して下方に開口する切り欠き４５ｂが形成されている。こうすることで、少なくとも第２片部４６と第３片部４７とを固定するボルト７１の軸部が第１片部４５と干渉しないようにしている。すなわち、連通させた丸孔４７ａおよび長孔４６ｂにボルト７１の軸部を挿入した状態で、第２片部４６を第１片部４５に当接させながら第１片部４５に対して高さ方向に相対移動させる（第２片部４６と第１片部４５とを摺動させる）ことができるようにしている。
【００４７】
なお、切り欠き４５ｂの幅をナット７２の幅よりも小さくすると、丸孔４７ａが第１片部４５と重なる場合には、第１片部４５、第２片部４６および第３片部４７がボルト７１およびナット７２で共締めされることとなる。一方、切り欠き４５ｂの幅をナット７２の幅よりも大きくすると、丸孔４７ａが第１片部４５と重なる場合には、第２片部４６および第３片部４７がボルト７１およびナット７２で共締めされ、ナット７２が切り欠き４５ｂに収容されることとなる。
【００４８】
また、第３片部４７における丸孔４７ａの幅方向内側（丸孔４７ａとは幅方向にずれた位置）に、高さ方向に細長い長孔４７ｂを形成している。本実施形態では、第２片部４６と第３片部４７とを、幅方向の両端および高さ方向の両端を揃えた状態で重ね合わせた際に、長孔４７ｂの上端が長孔４６ｂの上端と略同一高さとなるようにしている。さらに、長孔４７ｂの下端が長孔４６ｂの下端と略同一高さとなるようにしている。そして、第４片部４８の長孔４７ｂと対応する部位に丸孔４８ａを形成している。具体的には、第３片部４７と第４片部４８とを、幅方向の両端および高さ方向の両端を揃えた状態で重ね合わせた際に、長孔４７ｂの上端と連通するように、丸孔４８ａを形成している。そして、丸孔４８ａを長孔４７ｂと連通させた状態で、丸孔４８ａおよび長孔４７ｂにボルト７１の軸部を挿入し、ナット７２で共締めすることで、第３片部４７と第４片部４８とを固定している。したがって、第３片部４７と第４片部４８の重なり合う部分の高さは、丸孔４８ａを長孔４７ｂの上端に連通させた状態から、下端に連通させた状態までの間で調整することができる。
【００４９】
さらに、第２片部４６の部位であって、第２片部４６と第３片部４７とを幅方向の両端および高さ方向の両端を揃えて重ね合わせた状態で長孔４７ｂと重なり合う部位には、高さ方向に延在して下方に開口する切り欠き４６ｃが形成されている。こうすることで、少なくとも第３片部４７と第４片部４８とを固定するボルト７１の軸部が第２片部４６と干渉しないようにしている。また、第１片部４５の部位であって、第１片部４５と第３片部４７とを幅方向の両端および高さ方向の上端を揃えて重ね合わせた状態で長孔４７ｂと重なり合う部位にも、高さ方向に延在して下方に開口する切り欠き４５ｃが形成されている。こうすることで、少なくとも第３片部４７と第４片部４８とを固定するボルト７１の軸部が第１片部４５と干渉しないようにしている。
【００５０】
この切り欠き４６ｃを第２片部４６に形成することで、連通させた丸孔４８ａおよび長孔４７ｂにボルト７１の軸部を挿入した状態で、第３片部４７を第２片部４６に当接させながら第２片部４６に対して高さ方向に相対移動させることができるようにしている。さらに、切り欠き４５ｃを第１片部４５に形成することで、連通させた丸孔４８ａおよび長孔４７ｂにボルト７１の軸部を挿入した状態で、第１片部４５に固定した第２片部４６に対して第３片部４７を高さ方向に相対移動させることができるようにしている。
【００５１】
なお、切り欠き４５ｃおよび切り欠き４６ｃの幅をナット７２の幅よりも小さくすると、丸孔４８ａが第２片部４６と重なる場合には、第２片部４６、第３片部４７および第４片部４７がボルト７１およびナット７２で共締めされることとなる。さらに、丸孔４８ａが第１片部４５とも重なる場合には、第１片部４５、第２片部４６、第３片部４７および第４片部４７がボルト７１およびナット７２で共締めされることとなる。
【００５２】
一方、切り欠き４５ｃおよび切り欠き４６ｃの幅をナット７２の幅よりも大きくすると、丸孔４７ａが第２片部４６と重なる場合には、第３片部４７および第４片部４８がボルト７１およびナット７２で共締めされることとなる。そして、ナット７２が切り欠き４６ｃに収容されることとなる。さらに、丸孔４７ａが第１片部４５とも重なる場合には、第３片部４７および第４片部４８がボルト７１およびナット７２で共締めされ、ナット７２が切り欠き４５ｃおよび切り欠き４６ｃに収容されることとなる。
【００５３】
このように、４枚の片部（複数の片部）を用い、重なり合う部分の高さをそれぞれ設定しながら互いに隣り合う片部同士を固定することで、側壁部４４の延設方向の長さを所望の長さとすることができる。
【００５４】
本実施形態では、各片部を下記のように固定したときに、側壁部４４の延設方向の長さが最も短くなる。まず、丸孔４６ａを長孔４５ａの上端に連通させて第１片部４５と第２片部４６とを固定する。そして、丸孔４７ａを長孔４６ｂの上端に連通させて第２片部４６と第３片部４７とを固定する。さらに、丸孔４８ａを長孔４７ｂの上端に連通させて第３片部４７と第４片部４８とを固定する。
【００５５】
一方、各片部を下記のように固定したときに、側壁部４４の延設方向の長さが最も長くなる。まず、丸孔４６ａを長孔４５ａの下端に連通させて第１片部４５と第２片部４６とを固定する。そして、丸孔４７ａを長孔４６ｂの下端に連通させて第２片部４６と第３片部４７とを固定する。さらに、丸孔４８ａを長孔４７ｂの下端に連通させて第３片部４７と第４片部４８とを固定する。
【００５６】
そして、本実施形態では、側壁部４４の延設方向の長さは、上記の最短の長さと最長の長さとの間で連続的に調整することができるようになっている。
【００５７】
なお、本実施形態では、上述したように、固定部材としてのアーム部６０がケース３０および照明部材４０に取り付けられている。具体的には、アーム部６０の一側がケース本体３１の側壁３３に取り付けられており、アーム部６０の他側が取付部材４２の基壁部４３に取り付けられている。このとき、側壁３３と基壁部４３とをアーム部６０で一体に固定してしまうと、基壁部４３をケース本体３１に対して相対的に回動させることができなくなってしまう。そこで、本実施形態では、アーム部６０に、ケース３０のアーム部６０に対する回動量を調整する回動量調整機構を設け、ケース３０および基壁部４３にアーム部６０を取り付けつつ、基壁部４３をケース３０に対して相対的に回動させることができるようにした。
【００５８】
また、本実施形態では、アーム部６０の他側に、ボルト（被固定部）１５に固定される挿通孔（固定部）６３ａが形成されている。そのため、基壁部４３のケース３０に対する相対的な回動に連動させてアーム部６０をケース３０に対して相対的に回動させると、挿通孔（固定部）６３ａもケース３０に対して相対的に回動してしまう。このように、挿通孔（固定部）６３ａがケース３０に対して相対的に回動してしまうと、挿通孔６３ａの貫通方向が基部１１に固定されたボルト（被固定部）１５の軸方向に対して傾いてしまい、アーム部６０をボルト１５に固定することができなくなってしまう。
【００５９】
そこで、本実施形態では、アーム部６０に、挿通孔（固定部）６３ａの基壁部４３（取付壁部４２）に対する位置（高さや回動量）を調整する位置調整機構を設けている。このような位置調整機構をアーム部６０に設けることで、基壁部４３の傾斜を変化させたとしても、挿通孔６３ａの貫通方向をボルト（被固定部）１５の軸方向に略一致させることができる上、ボルト１５の先端を挿通孔６３ａに挿通できるようにしている。すなわち、基壁部４３の傾斜を変化させたとしても、基部１１に固定されたボルト（被固定部）１５にアーム部６０を固定することができるようにしている（図１０参照）。
【００６０】
本実施形態では、アーム部６０は、図８および図９に示すように、第１アーム部６１と、第１アーム部６１の幅方向両側にそれぞれ取り付けられる第２アーム部６２とを備えている。
【００６１】
この第１アーム部６１は、幅方向に細長い天壁部６３と、天壁部６３の幅方向両端にそれぞれ一体に連設されて下方に延在する一対の側壁部６４，６４とを備えている。
【００６２】
また、第２アーム部６２は、上下方向に延在して上端部が第１アーム部６１の側壁部６４に取り付けられる上部側壁６５と、上下方向に延在して下端部がケース本体３１の側壁３３に取り付けられる下部側壁６６と、を備えている。さらに、第２アーム部６２は、水平方向に延在して上部側壁６５の下端と下部側壁６６の上端とを連結する連結壁６７を備えており、全体として略クランク状に折曲された形状をしている。本実施形態では、この連結壁６７に基壁部４３が取り付けられるようにしている。なお、連結壁６７と基壁部４３とを溶接等することで基壁部４３を連結壁６７に固定してもよいし、連結壁６７と基壁部４３とをねじ止め等することで、基壁部４３を連結壁６７に着脱自在に取り付けるようにしてもよい。すなわち、連結壁６７と基壁部４３とは、従来公知の様々な方法で取り付けることができる。
【００６３】
そして、第１アーム部６１の上部（天壁部６３側）が、アーム部６０のケース３０よりも上方に突出する部位となっており、この天壁部６３の幅方向の中央部に、挿通孔（固定部）６３ａが形成されている。また、側壁部６４の下部には、上下方向（側壁部６４の延在方向）に細長い長孔６４ａが形成されており、上部側壁６５には丸孔６５ａが形成されている。そして、丸孔６５ａを長孔６４ａに連通させた状態で、丸孔６５ａおよび長孔６４ａにボルト７３の軸部を挿入し、ナット７４で共締めすることで、第１アーム部６１と第２アーム部６２とを取り付けている。なお、上部側壁６５の丸孔６５ａにナット７４を溶接等により予め固定させるようにしてもよい。
【００６４】
こうすることで、第１アーム部６１と第２アーム部６２とを取り付ける際に、第１アーム部６１の第２アーム部６２に対する傾斜角度、および、長孔６４ａの丸孔６５ａと連通する位置を調整できるようにしている。すなわち、挿通孔（固定部）６３ａの基壁部４３（取付壁部４２）に対する位置（高さや傾斜角度）を所望の位置とした状態で第１アーム部６１と第２アーム部６２とを取り付けられるようにしている。
【００６５】
このように、本実施形態では、側壁部６４の長孔６４ａ、上部側壁６５の丸孔６５ａ、ボルト７３およびナット７４で、挿通孔（固定部）６３ａの基壁部４３（取付壁部４２）に対する位置（高さや回動量）を調整する位置調整機構を構成している。
【００６６】
さらに、本実施形態では、ケース本体３１の奥壁３２に前後方向に細長い長孔３２ａ，３２ａが一対形成されており、第１アーム部６１の側壁部６４がこの長孔３２ａ内に挿入されるようになっている。このように、ケース本体３１の奥壁３２に一対の長孔３２ａ，３２ａを形成することで、第１アーム部６１の第２アーム部６２に対する傾斜角度や突出量を調整する際に、奥壁３２と第１アーム部６１とが干渉しないようにしている。なお、一対の長孔３２ａ，３２ａを奥壁３２に形成する替わりに、第１アーム部６１の全体を挿通させることのできる開口を奥壁３２に形成し、奥壁３２と第１アーム部６１とが干渉しないようにしてもよい。
【００６７】
また、下部側壁６６の下部には丸孔６６ａが形成されている。そして、下部側壁６６の丸孔６６ａと側壁３３の挿通孔３３ｂとを連通させた状態で、丸孔６６ａおよび挿通孔３３ｂにボルト７５の軸部を挿入し、ナット７６で共締めすることで、第２アーム部６２とケース本体３１とを取り付けている。なお、側壁３３の挿通孔３３ｂにナット７６を溶接等により予め固定させるようにしてもよい。
【００６８】
こうすることで、第２アーム部６２と側壁３３とを取り付ける際に、第２アーム部６２の側壁３３に対する傾斜角度を調整できるようにしている。すなわち、第２アーム部６２に取り付けられる基壁部４３のケース本体３１に対する傾斜角度（回動量）を所望の角度（回動量）とした状態で第２アーム部６２と側壁３３とを取り付けることができるようにしている。
【００６９】
このように、本実施形態では、ケース３０と第２アーム部６２との取付部分に、ケース３０のアーム部（固定部材）６０に対する回動量を調整する回動量調整機構が形成されている。より具体的には、下部側壁６６の丸孔６６ａ、側壁３３の挿通孔３３ｂ、ボルト７５およびナット７６で、位置調整機構を構成している。
【００７０】
このような構成とすることで、様々な場所への設置に対応することのできる照明装置２０を得ることができる。
【００７１】
例えば、図１０に示すように、傾斜していない（略水平な）天井壁１２を有する天井１０に埋め込み固定した状態で、基部１１に固定されたボルト（被固定部）１５にアーム部６０を固定させつつ、照明装置２０の照射方向を所望の方向とすることができる。また、図１１に示すように、傾斜した天井壁１２を有する天井１０に埋め込み固定した状態で、基部１１に固定されたボルト（被固定部）１５にアーム部６０を固定させつつ、照明装置２０の照射方向を下方（所望の方向）とすることもできる。
【００７２】
このように、本実施形態にかかる照明装置２０は、様々な場所への設置に対応させることができるように構成されている。
【００７３】
以上説明したように、本実施形態の照明装置２０は、光源部４１と、光源部４１が取り付けられる取付壁部４２と、を備えている。また、取付壁部４２は、光源部４１が取り付けられる基壁部４３と、基壁部４３から延設される一対の側壁部４４，４４と、を備えている。さらに、一対の側壁部４４，４４は、各側壁部４４，４４の延設方向に伸縮自在に構成されている。そして、一方の側壁部４４の延設方向長さと他方の側壁部４４の延設方向長さとを独立して調整できるようにしている。
【００７４】
したがって、設置したい場所の態様（傾斜角度や照射対象物との位置関係等）に応じて各側壁部４４，４４の延設方向の長さを調整することで、照明装置２０を設置したい場所に設置させることができるようになる。
【００７５】
このように、本実施形態によれば、様々な場所への設置に対応することのできる照明装置２０を得ることができる。すなわち、１つの照明装置２０を傾斜角度等が異なる場所への設置に対応させることができる。その結果、設置される場所の態様（傾斜角度や照射対象物との位置関係等）に応じて、その都度照明装置を設計する必要がなくなる上、事前に実地調査等を行う必要もなくなるため、設置作業者の負担を軽減させることができる。
【００７６】
また、本実施形態では、一対の側壁部４４，４４は、複数の片部（第１片部４５〜第４片部４８）をそれぞれ備えている。そして、各側壁部４４の複数の片部（第１片部４５〜第４片部４８）は、互いに隣り合う片部同士が、重なり合う部分の延設方向長さを変えて固定できるように構成されている。
【００７７】
こうすれば、延設方向に伸縮自在となる側壁部４４を、より容易に製造することができる上、構成の簡素化を図ることができるようになる。
【００７８】
また、本実施形態では、一対の側壁部４４，４４を、光源部４１から出射した光を反射させる反射板としている。
【００７９】
こうすれば、照射方向に向けて照射される光の量を多くすることが可能となり、照射対象物をより効率よく照射することができるようになる。
【００８０】
また、本実施形態では、開口部３１ａが形成された空間部３１ｂを有するケース３０をさらに備えており、この空間部３１ｂ内に取付壁部４２を収容固定している。
【００８１】
こうすれば、取付壁部４２がケース３０の外部に露出してしまうのを抑制することができ、意匠性が悪化してしまうのを抑制することができる。また、照明装置２０を室内空間等の空間に露出した状態で設置した場合に、意匠性が悪化してしまうのを抑制することもできる。
【００８２】
また、本実施形態では、ケース３０および取付壁部４２には、ボルト（被固定部）１５に固定される挿通孔（固定部）６３ａを有するアーム部（固定部材）６０が取り付けられている。そして、アーム部（固定部材）６０には、挿通孔（固定部）６３ａの取付壁部４２に対する位置を調整する位置調整機構が形成されている。さらに、アーム部（固定部材）６０には、ケース３０のアーム部（固定部材）６０に対する回動量を調整する回動量調整機構が形成されている。
【００８３】
こうすれば、照明装置２０の照射方向を所望の方向としつつ、挿通孔（固定部）６３ａの位置をボルト（被固定部）１５が存在する位置により容易に合わせることができる。その結果、より容易に照明装置２０をボルト（被固定部）１５に固定することができるようになる。
【００８４】
また、本実施形態では、アーム部（固定部材）６０は、挿通孔（固定部）６３ａが形成された第１アーム部６１と、第１アーム部６１に取り付けられ、取付壁部４２およびケース３０に取り付けられる第２アーム部６２と、を備えている。そして、第１アーム部６１と第２アーム部６２との取付部分に位置調整機構が形成されている。さらに、ケース３０と第２アーム部６２との取付部分に回動量調整機構が形成されている。
【００８５】
こうすれば、より簡素な構成としつつ、照明装置２０をボルト（被固定部）１５により容易に固定することができるようになる。また、挿通孔（固定部）６３ａの取付壁部４２に対する位置やケース３０のアーム部（固定部材）６０に対する回動量を、より容易に調整することができる。
【００８６】
また、本実施形態では、位置調整機構は、第１アーム部６１および第２アーム部６２のうちいずれか一方のアーム部（第１アーム部６１）に形成された長孔６４ａと他方のアーム部（第２アーム部６２）に形成された丸孔６５ａとを備えている。
【００８７】
こうすれば、挿通孔（固定部）６３ａの取付壁部４２に対する位置を、より容易に調整することができる。
【００８８】
また、本実施形態では、ケース３０が天井（壁部）１０に形成された埋め込み空間１４内に収容され、埋め込み空間１４内に配置されたボルト（被固定部）１５に、アーム部（固定部材）６０の挿通孔（固定部）６３ａが固定されている。
【００８９】
こうすれば、室内空間等の空間に照明装置２０が突出してしまうのを抑制することができる。その結果、室内空間等の空間を有効利用したり、室内空間等の空間の意匠性が悪化してしまうのを抑制したりすることができる。
【００９０】
以上、本発明の好適な実施形態について説明したが、本発明は上記実施形態には限定されず、種々の変形が可能である。
【００９１】
例えば、上記実施形態では、天井に形成された埋め込み穴に埋め込まれた状態で取り付けられる天井埋め込み型の照明装置を例示したが、建物の側壁に形成された埋め込み穴に埋め込まれる照明装置とすることも可能である。また、室内空間や屋外空間等の空間に露出した被固定部に固定部材を固定させた照明装置とすることも可能である。
【００９２】
また、上記実施形態では、被固定部としてのボルトを固定部としての挿通孔に挿通させるものを例示したが、固定部と被固定部は、固定することが可能な構成であればよい。例えば、フック部と引っ掛け部で固定部と被固定部を構成したり、嵌合部と被嵌合部で固定部と被固定部を構成したりすることも可能である。
【００９３】
また、複数の片部の取付方法は、上記実施形態で例示したものに限定されるものではなく、様々な方法で取り付けることができる。
【００９４】
また、ケースや光源部、その他細部のスペック（形状、大きさ、レイアウト等）も適宜に変更可能である。
【符号の説明】
【００９５】
１０  天井（壁部）
１４  埋め込み空間
１５  ボルト（被固定部）
２０  照明装置
３０  ケース
３１ａ  開口部
３１ｂ  空間部
３３ｂ  挿通孔（回動量調整機構）
４１  光源部
４２  取付壁部
４３  基壁部
４４  側壁部（反射板）
４５  第１片部
４６  第２片部
４７  第３片部
４８  第４片部
６０  アーム部（固定部材）
６１  第１アーム部
６３ａ  挿通孔（固定部）
６４ａ  長孔（位置調整機構）
６２  第２アーム部
６５ａ  丸孔（位置調整機構）
６６ａ  丸孔（回動量調整機構）
【図１】
2019029280.tif 000003
【図２】
2019029280.tif 000004
【図３】
2019029280.tif 000005
【図４】
2019029280.tif 000006
【図５】
2019029280.tif 000007
【図６】
2019029280.tif 000008
【図７】
2019029280.tif 000009
【図８】
2019029280.tif 000010
【図９】
2019029280.tif 000011
【図１０】
2019029280.tif 000012
【図１１】
2019029280.tif 000013